(57)【要約】【課題】おねばの蒸気循環系への侵入を防止して過熱蒸気の鍋内への供給を確実とし、これより食味に優れた炊飯を可能としたものである。【解決手段】鍋加熱手段７，８により加熱される鍋６内の蒸気をポンプ５１を駆動することにより蒸気循環路２４を介して循環流動させるとともに、その循環の途中で蒸気加熱手段２７で再加熱して過熱蒸気とし、ポンプ５１への吸引側は鍋内から外部へ形成された蒸気排出路４６にあって、同蒸気排出路４６へのおねば流動を防止するおねば検出体４８よりも下流側の部位に連通させ、鍋内→蒸気排出路→ポンプ→鍋内の順で蒸気を循環するようにした。【選択図】図３
2010104488.tif 000002
【特許請求の範囲】
【請求項１】
炊飯器本体に対して着脱自在に装着され、上方開放部には開閉自在な蓋体を有する鍋と、前記鍋を加熱する鍋加熱手段と、前記鍋内の蒸気をポンプを介して循環流動させるための蒸気循環路と、前記蒸気循環路を流動する蒸気を加熱して過熱蒸気とする蒸気加熱手段と、前記鍋内から外部へ形成された蒸気排出路と、この蒸気排出路へのおねば流動を防止するおねば流動防止手段とを具備し、前記蒸気循環路の吸引側は、蒸気排出路のおねば流動防止手段よりも蒸気流動下流側の部位に連通させ、鍋内→蒸気排出路→ポンプ→鍋内の順で蒸気を循環するようにした炊飯器。
【請求項２】
おねば流動防止手段は、蒸気排出路へのおねば侵入を検知するおねば検知体と、このおねば検知体によるおねば検出と連係して鍋加熱手段の出力を低下させる制御手段とからなる請求項１記載の炊飯器。
【請求項３】
おねば検知体を磁性材で構成するとともに、おねばによる前記おねば検知体の移動と連係してリードスイッチを作動させ、このリードスイッチの作動状態を制御手段に入力して鍋加熱手段の出力を低下させるようにした請求項１または２記載の炊飯器。
【請求項４】
蓋体の鍋側に配置され、間に蒸気循環路を一部となる空間を形成する上下２枚の蓋板、および少なくとも一方の蓋板を加熱する加熱源で蒸気加熱手段を構成した請求項１記載の炊飯器。
【請求項５】
上部蓋板上に加熱源となる電磁誘導コイルを配置するとともに、下部蓋板を磁性材で、上部蓋板を非磁性材でそれぞれ形成した請求項４記載の炊飯器。
【請求項６】
炊飯動作のむらし行程時にポンプを駆動して蒸気循環路を介して鍋内の蒸気を循環させるようにした請求項１記載の炊飯器。
【発明の詳細な説明】
【技術分野】
【０００１】
本発明は、過熱蒸気を用いた炊飯器に関するものである。
【背景技術】
【０００２】
従来、この種炊飯器は、炊飯器本体に対して着脱自在に装着され、上方開放部が蓋体で開閉される鍋内の蒸気をシロッコファンなどのポンプを介して循環流動させるとともに、その循環の途中で蒸気を加熱して過熱蒸気とするようになっていた。
【０００３】
蒸気循環は主に炊飯動作行程の炊き上げ行程、特にむらし行程で行われるもので、これにより、米、水の加熱において不足する鍋上方からの加熱を行い、併せて乾燥をも抑止して食味を高めるようにしていた（例えば、特許文献１参照）。
【特許文献１】特開２００６−２８９１１７号公報
【発明の開示】
【発明が解決しようとする課題】
【０００４】
しかしながら、上記従来の炊飯器にあっては、炊飯中に鍋内で発生する煮汁成分、所謂おねばが蒸気循環系に侵入して詰まることがあった。そのため、過熱蒸気の鍋内への散布ができなくなり、鍋上方からの熱供給が不足して初期の食味が得られない問題があった。
【０００５】
また、おねばにより蒸気循環系が汚れる課題もあり、その除去清掃に非常に手間がかかるものであった。
【０００６】
本発明はこのような従来の課題を解消したものであって、おねばの蒸気循環系への侵入を防止して過熱蒸気の鍋内への供給を確実とし、これより食味に優れた炊飯を可能としたものである。
【課題を解決するための手段】
【０００７】
本発明は、上記目的を達成するために、炊飯器本体に対して着脱自在に装着され、上方開放部には開閉自在な蓋体を有する鍋と、前記鍋を加熱する鍋加熱手段と、前記鍋内の蒸気をポンプを介して循環流動させるための蒸気循環路と、前記蒸気循環路を流動する蒸気を加熱して過熱蒸気とする蒸気加熱手段と、前記鍋内から外部へ形成された蒸気排出路と、この蒸気排出路へのおねば流動を防止するおねば流動防止手段とを具備し、前記蒸気循環路の吸引側は、蒸気排出路のおねば流動防止手段よりも蒸気流動下流側の部位に連通させ、鍋内→蒸気排出路→ポンプ→鍋内の順で蒸気を循環するようにしたものである。
【０００８】
これにより、蒸気循環路へのおねばの侵入を確実に防止できるものである。
【発明の効果】
【０００９】
本発明の炊飯器によれば、蒸気循環路へのおねばの侵入が防止されるため、必要なときに過熱蒸気を確実に鍋上方へ供給することができ、これにより、優れた食味の炊飯ができるとともに、蒸気循環路に汚れが付きにくく、メンテナンス面で有利であり、常時衛生的に維持できることとなる。
【発明を実施するための最良の形態】
【００１０】
本発明の炊飯器は、炊飯器本体に対して着脱自在に装着され、上方開放部には開閉自在な蓋体を有する鍋と、前記鍋を加熱する鍋加熱手段と、前記鍋内の蒸気をポンプを介して循環流動させるための蒸気循環路と、前記蒸気循環路を流動する蒸気を加熱して過熱蒸気
とする蒸気加熱手段と、前記鍋内から外部へ形成された蒸気排出路と、この蒸気排出路へのおねば流動を防止するおねば流動防止手段とを具備し、前記蒸気循環路の吸引側は、蒸気排出路のおねば流動防止手段よりも蒸気流動下流側の部位に連通させ、鍋内→蒸気排出路→ポンプ→鍋内の順で蒸気を循環するようにしたもので、これにより、蒸気循環路へのおねばの侵入を確実に防止できるものである。
【００１１】
おねば流動防止手段は、蒸気排出路へのおねば侵入を検知するおねば検知体と、このおねば検知体によるおねば検出と連係して鍋加熱手段の出力を低下させる制御手段とからなる。
【００１２】
したがって、鍋加熱手段の出力を低下させることでおねばのそれ以上の上昇がなくなって、蒸気循環路への侵入が阻止されることとなる。
【００１３】
より具体的には、おねば検知体を磁性材で構成するとともに、おねばによる前記おねば検知体の移動と連係してリードスイッチを作動させ、このリードスイッチの作動状態を制御手段に入力して鍋加熱手段の出力を低下させるようにした。
【００１４】
また、蒸気加熱手段は、蓋体の鍋側に配置され、間に蒸気循環路を一部となる空間を形成する上下２枚の蓋板、および少なくとも一方の蓋板を加熱する加熱源で構成した。そして、その加熱源として電磁誘導コイルを採用する場合には、上部蓋板上に電磁誘導コイルを配置するとともに、下部蓋板を磁性材で、上部蓋板を非磁性材でそれぞれ形成する。
【００１５】
これにより、磁性材製の下部蓋板が電磁誘導で発熱（加熱）されるとともに、下部蓋板程ではないが、非磁性材製の上部蓋板も電磁誘導で発熱（加熱）され、それらの間の空間を流れる蒸気を有効に加熱する。
【００１６】
ポンプの駆動による蒸気循環路を介した蒸気の循環は、炊飯動作のむらし行程時に行うのが望ましい。
【００１７】
以下本発明の実施の形態を図面を参照して説明する。なお、実施の形態が本発明を限定するものでないことは、いまさら言うまでもないことであろう。
【００１８】
（実施の形態１）
図１〜３において、炊飯器本体１は、金属製の保護枠胴２の下部に合成樹脂などの非磁性材からなる深皿状の保護枠３を連設して構成した有底筒状の鍋収納部４を内設し、また、これら炊飯器本体１と鍋収納部４との上方隙間はリング状の枠体５で閉じられている。
【００１９】
磁性材製の鍋６は前記鍋収納部４に着脱自在に収納され、鍋加熱手段７，８で加熱されるようにしてある。
【００２０】
本実施の形態において、前記鍋加熱手段７は鍋６の底部、および下部周壁に対応して保護枠３に配設した電磁誘導コイルから構成されており、鍋６が電磁誘導加熱されるようにしてある。詳しくは、鍋６が電磁誘導により自身が発熱するものであるが、便宜上、この発熱も加熱として表現している。
【００２１】
また、もう一つの鍋加熱手段８は鍋６の上部周壁と対応して保護枠胴２に巻装され、外周を断熱材９で覆った電気ヒータ線で構成してあり、通電により電気ヒータ線が発熱して、保護枠胴２を加熱し、これにより同保護枠胴２からは鍋６の上部周壁へ向け輻射熱が放射されるようにしてある。
【００２２】
電磁誘導コイルの鍋加熱手段７から外側へ出る磁力線はフェライト１０で反射され、また、遮蔽板１１でさらに遮断されるようにして、磁力線の外部への漏洩を防止している。
【００２３】
前記鍋６の外底面中央部に接する鍋温度センサ１２からの温度信号は後述するマイコン１３へ送られるようにしてある。
【００２４】
そして、このマイコン１３は加熱電力送出部１４を介して電磁誘導コイルよりなる鍋加熱手段７へ供給する高周波電流、および鍋加熱手段８へ供給する電流を可変することで鍋６の温度を炊飯・保温時に適温になるように制御するものである。
【００２５】
加熱電力送出部１４はアルミやアルミダイキャストなどで形成され、かつファンモータ１５の送風路に位置するヒートシンク１６を有するものである。
【００２６】
前記鍋６は炊飯器本体１の後方上部にヒンジ１７を介して軸支された蓋体１８で開閉されるようにしてある。
【００２７】
図３のように、この蓋体１８は合成樹脂よりなる蓋カバー１９と間隔をおいて配置した上下蓋板２０，２１とからなる中空状の構成で、通常は炊飯器本体１の前側に設けた尾錠２２でその閉じ状態が維持されるようにしてある。
【００２８】
尾錠２２を解錠すると、前記ヒンジ１７の近傍に設けたスプリング２３によって蓋体１８が自動的に開くようにしてある。そして、その開蓋動作を制動するように制動手段が設けてある。
【００２９】
前記蓋体１８の上蓋板２０はオーステナイト系ステンレスなどの非磁性金属で、下蓋板２１は鉄板やフェライト系ステンレス板などの磁性材でそれぞれ形成され、それらの間の間隔は蒸気循環路２４の一部をなす蒸気通路２５に設定してある。
【００３０】
蓋体１８の内部であって、しかも上蓋板２０の所定上方には合成樹脂などの非磁性材からなる隔壁２６が存在し、この上面に蒸気加熱手段２７が配置してある。
【００３１】
本実施の形態の場合、前記蒸気加熱手段２７はリング状の電磁誘導コイルで構成されており、これから放射される磁力線は上蓋板２０をほとんどが透過して下蓋板２１を誘導加熱（発熱）する。前記磁力線は上蓋板２０を透過するが全てが透過するのではなく、やはり同上蓋板２０を誘導加熱（発熱）する。
【００３２】
したがって、前記蒸気通路２５が高温となり、その中を流れる蒸気を加熱して１００℃以上の、いわゆる、過熱蒸気とするようになっている。
【００３３】
蒸気加熱手段２７の一部と隔壁２６とに挟まれるようにして温度ヒューズ２８が設けられており、また、蒸気加熱手段２７の上方には反射板２９があり、電磁誘導コイルからなる蒸気加熱手段２７の電磁波が外部に漏れ出すのを防止している。
【００３４】
下蓋板２１と鍋６のフランジ部６ａとの間はパッキン３０が介在され、鍋６の内部を水密にシールしており、さらに、前記上下蓋板２０，２１間の間隔はパッキン３１で環状にシール区画されて、結果的に蒸気通路２５を形成しているものである。
【００３５】
３２は蓋センサで、センサバネ３３による押圧で下蓋板２１に当接してその温度を検知する。
【００３６】
先のマイコン１３は蓋体１８に内設されており、また、蓋カバー１９には、操作部３４と表示部３５を構成する操作基板３６が基板カバー３７に覆われて設置されている。
【００３７】
操作基板３６上の液晶３８は炊飯器の設定状態や動作状態を表示する。
【００３８】
また、蓋カバー１９はその一部が透明な樹脂で構成されており、その表面はフィルム３９で一体に覆われており、部分的にフィルム３９のみの部分からなるエンボス部４０を有している。
【００３９】
エンボス部４０は上下に撓み、キートップ４１、およびタクトスイッチ４２で操作スイッチを構成している。
【００４０】
基板カバーパッキン４３は基板カバー３７の外周部と蓋カバー１９に設けた基板カバーシールリブ４４で挟持され、基板カバー３７と蓋カバー１９の間を水密にシールし、万が一、蓋体１８内に蒸気が侵入しても操作基板３６が結露しないようにしてある。
【００４１】
ところで、前記蓋体１８の一部には着脱自在な排出筒４５を有する蒸気排出路４６が上下に貫通して設けられている。
【００４２】
排出筒４５は水平に対して傾斜したガイド部４７にて移動自在に保持された球状のマグネットからなるおねば検出体４８が配備され、また、このマグネットからなるおねば検出体４８により開閉されるリードスイッチ４９が蒸気排出路４６の外側で、蓋体１８の内部に位置して設けてある。
【００４３】
前記おねば検出体４８は、ふきぼれ検知用としてだけではなく、蓋体１８の開閉検知手段を構成するものである。
【００４４】
蒸気排出路４６はパッキン５０を介して蓋体１８の内部とは隔離シールされているものである。
【００４５】
前記蓋体１８の内部にはシロッコ型などのポンプ５１が装備されている。そして、その吸引側に接続された吸引管５２は蒸気排出路４６と一体に形成されていて、ゴムなどのパッキン５３を介して排出筒４５の内部、すなわち蒸気路５４に開口されている。
【００４６】
前記吸引管５２における蒸気路５４の開口部位は、先のおねば検出体４８よりも上記流動下流側に位置設定されている。
【００４７】
また、ポンプ５１の吐出側より導出された吐出管５５は上蓋板２０に形成した蒸気吐出口５６にゴムなどのパッキン５７を介して接続されて蒸気通路２５に臨ませてある。
【００４８】
下蓋板２１には蒸気放出口５８が形成されていている。つまり、先の蒸気循環路２４は、鍋６の上層部→排出筒４５の蒸気路５４→吸引管５２→ポンプ５１→吐出管５５→蒸気通路２５→蒸気放出口５８→鍋６の上層部の経路で構成されるものである。
【００４９】
なお、排出筒４５は汚れに対するメンテナンス用などのために設けたもので、場合によっては、蒸気排出路４６そのものの内部を蒸気路５４とし、おねば検出体４８も同蒸気排出路４６に直接的に配置することも考えられる。
【００５０】
また、排出筒４５の上方開放部は蒸気口５９をもつカバー６０で覆われている。
【００５１】
次に上記構成において動作を説明する。
【００５２】
蓋体１８を開け、炊飯を行う米とその米量に対応する水を鍋６に入れ、鍋収納部４の所定の状態に内挿する。
【００５３】
蓋体１８の開放状態では、おねば検出体４８は重力によってリードスイッチ４９から遠ざかり、その接点が開放となる。これにより蓋体１８の開閉が検知可能となる。
【００５４】
引き続き、操作部３４の炊飯開始スイッチ（図示せず）を使用者が操作すると、マイコン１３が炊飯開始スイッチよりの入力を受け、炊飯工程が実施される。
【００５５】
このとき液晶３８に動作状態が表示され、その透明な樹脂を透過して外部より目視可能にすることで、使用者に炊飯器の動作状態を知らせる。
【００５６】
鍋温度センサ１２は鍋６の底面の温度を検知し、マイコン１３へと信号を送る。
【００５７】
信号を受けてマイコン１３は浸水、炊き上げ、蒸らしの各工程に大分された炊飯工程のそれぞれにおいて、鍋６の内部の水と米の状態が適正値として設定された温度に所定時間維持されるよう、加熱電力送出部１４を介して通電される鍋加熱手段７，８や蒸気加熱手段２７の通電量を制御する。
【００５８】
誘導加熱方式は、各誘導コイルに通電した高周波電流から発生する高周波磁界が被加熱金属を通過する際に誘導加熱を引き起こし発熱する。
【００５９】
ここで、加熱電力送出部１４は高周波電流を各誘導コイルへ供給する際、電気抵抗ロスおよび高周波発生時のスイッチングロスで自己発熱する。
【００６０】
加熱電力送出部１４が自己発熱で許容温度以上に高温となると、破壊する場合があるので、アルミやアルミダイキャストなどでできたヒートシンク１６を通じで放熱する。
【００６１】
ファンモータ１５でヒートシンク１６は冷却され、効率的に加熱電力送出部１４の冷却が行われる。
【００６２】
鍋加熱手段７は鍋６を誘導加熱（発熱）させる。ここで、フェライト１０は鍋加熱手段７から発生する磁界を効率よく鍋６側へ集める。
【００６３】
これにより、鍋６はその周辺に高密度の磁界が発生するところから、より高効率に加熱（発熱）されることとなる。
【００６４】
また、遮蔽板１１は鍋加熱手段７からの高周波磁界が外部に漏れ出すのを防止し、周囲の機器に影響を及ぼさないような工夫がなされている。
【００６５】
蒸気加熱手段２７は加熱電力送出部１４より供給される電流で上、下蓋板２０，２１を同時に発熱させる。
【００６６】
ここで上部蓋板２０は前述のとおり非磁性金属製で、かつ０．４ｍｍ以下の薄板で構成されるため、高周波磁界を透過しつつ誘導加熱で自己発熱する。
【００６７】
上蓋体２０を透過した高周波磁界は磁性金属でできた下蓋板２１を誘導加熱し、これにより、上下蓋板２０，２１間の蒸気通路２５も加熱されることとなる。
【００６８】
なお、上下蓋板２０，２１の発熱比は蒸気加熱手段２７からの距離と、材料物性などにて任意に設定が可能である。また、蒸気加熱手段２７の上方の反射板２９が高周波磁界の外部の漏出を防止し、マイコン１３や周囲の機器に影響を及ぼさないような工夫がなされている。
【００６９】
一方の鍋加熱手段９は加熱電力送出部１４より供給される電流で自己発熱し、保護枠胴２を加熱する。保護枠胴２が熱せられることによる輻射熱、および対流熱で鍋６の側面を加熱する。
【００７０】
続いて、各工程での炊飯器の動作を説明する。まず、浸水工程では米の糊化が開始しない温度まで米と水の温度が上昇するように鍋加熱手段８を通電し鍋６を発熱させる。
【００７１】
そして、所定の温度で所定時間米を浸水し、米全体に十分な吸水を促す。浸水工程において、鍋６の米全体を目的の温度で均一に維持し、吸水条件を均一に保つ。
【００７２】
次に、炊き上げ工程では、鍋加熱手段７で鍋６の底面を誘導加熱（発熱）するとともに、蒸気加熱手段２７では上下蓋板２０，２１を加熱し、鍋加熱手段８では鍋６の側面を加熱して、この鍋６の全体を包み込むように加熱する。
【００７３】
炊き上げ工程においては、強火の加熱で一気に炊き上げ、米の芯まで熱を伝えることが重要である。誘導加熱方式だと熱板によって鍋を加熱する方式に比べ高火力で鍋を加熱することができ、よりおいしいごはんが炊き上がる。
【００７４】
そして、この時発生する煮汁であるおねばも排出筒４５へと流れ込むが、大量にそのおねばが流れ込む前にマグネットからなるおねば検出体４８が押し上げられ、リードスイッチ４９を開く。
【００７５】
これと連動して加熱電力送出部１４を介して鍋加熱手段８などの火力を低下することでふきこぼれを抑制でき、水加減に応じて自動的にふきこぼれ直前まで強火での加熱を可能にし、よりおいしいごはんが炊ける。
【００７６】
したがって、蒸気循環路２４における吸引管５２が前記おねば検出体４８よりも蒸気流動下流側に連なっているため、ポンプ５１を駆動していてもその吸引管５２を介しておねばが侵入することがないものである。
【００７７】
なお、吐出管５２からのおねばの侵入が考えられる場合は、蒸気放出口５８などに圧力弁を設けておけば、ポンプ５１の非駆動時にも問題とはならない。
【００７８】
以上より、蒸気循環路２４、特に、ポンプ５１がおねばで詰まり、蒸気循環を阻害するようなことを未然に防ぐことができるものである。
【００７９】
鍋温度センサ１２がおよそ１３０℃を検知すると、鍋６内の水はそのほとんどを米に吸収されるもしくは蒸発し、ごはんとして炊きあがった状態となる。
【００８０】
そして、次の工程であるむらし工程へと移行する。ただし、鍋６の水分はすべて蒸発した訳でなく、鍋底の水分が減っただけであり、また鍋内には大量の水分が残っている。
【００８１】
そこで、むらし工程では、鍋加熱手段７が鍋６の底面の飯が乾燥したりこげたりしない程度にその底面を加熱する。
【００８２】
そして、鍋加熱手段７の通電量低下に伴い、ファンモータ１５はその回転数を低下させるか停止する。
【００８３】
併せて、ポンプ５１を駆動することで、鍋６内の蒸気はその上層部→排出筒４５→吸引管５２→ポン５１→吐出管５５→蒸気通路２５→蒸気放出口５８→鍋６の上層部と循環する。
【００８４】
蒸気加熱手段２７により加熱されている先の蒸気通路２５を蒸気が流動するとき、同蒸気はさらに加熱されて過熱蒸気化され、鍋６の内部上層部を効果的に加熱し加湿するものである。
【００８５】
さらに、鍋６内の蒸気の一部は排出筒４５から蒸気口５９に至り、その後外部へ排出されるものである。
【００８６】
むらし工程では飯が芯までの糊化するように飯が乾燥したりこげたりしない温度で鍋６全体を高温の状態に保つことが大切であるが、本実施の形態のように１００℃以上の高温蒸気を飯に供給することにより、第１に、蒸気が供給されるがゆえに飯の乾燥を伴わない、しかも、第２に１００℃以下の蒸気供給では飯粒表面に水が付着するに留まるが、１００℃以上の蒸気であるので、米澱粉の糊化を進行させるのに必要なエネルギーをもち、糊化を促進し、炊飯性能を向上させることができる。
【００８７】
さらには、上、下蓋板２０，２１で蒸気を挟み込むように加熱することで、蒸気の温度を瞬時に、かつ効率よく高温蒸気とすることができるので、よりおいしいごはんを炊くことができる。
【００８８】
また、下蓋板２１は１００℃以上の高温となっているため、炊飯後に加熱板に露付き等が発生することもない。
【００８９】
（実施の形態２）
図４は実施の形態２を示し、先の実施の形態１と異なるところは、蒸気循環路２４に気密型のポンプ６１を介在させた点である。
【００９０】
なお、図３と同作用を行う構成部分には同一符号を付し、具体的説明は実施の形態１のものを援用する。
【００９１】
上述のような構成の炊飯器において、ポンプ６１が気密型であってその停止時は蒸気循環路２４が閉空間となる。
【００９２】
したがって、吐出側に圧力弁などの逆止弁を設けなくても、おねばがポンプ６１に流入するようなことはなくものである。
【産業上の利用可能性】
【００９３】
以上のように本発明の炊飯器は、蒸気循環路へのおねばの侵入が防止されるため、必要なときに過熱蒸気を確実に鍋上方へ供給することができ、これにより、優れた食味の炊飯ができるとともに、蒸気循環路に汚れが付きにくく、メンテナンス面で有利であり、常時衛生的に維持でき、一般家庭用はもとより業務用炊飯装置への利用も可能となる。
【図面の簡単な説明】
【００９４】
【図１】本発明の実施の形態１を示す炊飯器の全体断面図
【図２】同炊飯器の過熱蒸気発生部の断面図
【図３】蒸気循環系の断面図
【図４】本発明の実施の形態２を示す炊飯器の気循環系の断面図
【符号の説明】
【００９５】
１  炊飯器本体
６  鍋
７，８  鍋加熱手段
１８  蓋体
２０，２１  蓋板
２４  蒸気循環路
２７  蒸気加熱手段
４６  蒸気排出路
４８  おねば検出体
４９  リードスイッチ
５１，６１  ポンプ
５２  吸引管
５５  吐出管
【図１】
2010104488.tif 000003
【図２】
2010104488.tif 000004
【図３】
2010104488.tif 000005
【図４】
2010104488.tif 000006